(57)【特許請求の範囲】
【請求項１】
スピーカと、
前記スピーカに音声信号を出力する音声制御部と、
前記音声制御部に電気的に接続された第１コネクタと、前記スピーカに電気的に接続さ
れた第２コネクタとを含み、前記第１コネクタと前記第２コネクタとが電気的に分離及び
接続可能とされるドロワコネクタと、
前記音声制御部と前記第１コネクタとの間に設けられた保護回路と、を備え、
前記音声制御部が前記音声信号を出力中に、前記第１コネクタと前記第２コネクタが電気的に分離可能とされ、
前記保護回路は、遊技の進行に伴って前記音声制御部から出力される前記音声信号の周
波数帯において、前記音声信号の周波数が高くなるほどインピーダンスが低くなる構成と
され、かつ、前記スピーカのインピーダンスより前記保護回路のインピーダンスの方が高
くなっていることを特徴とする遊技機。
【発明の詳細な説明】
【技術分野】
【０００１】
本発明は、遊技球を払い出すための払出装置を備えるパチンコ機やアレンジボール機な
どの遊技機に関する。
【背景技術】
【０００２】
従来より、遊技の進行に伴ってスピーカから効果音を出力することが行われている。近
年、音声品質の向上や音量の増大のために、遊技機上部に加えて遊技機下部にもスピーカ
が設けられるようになっており、遊技機下部のスピーカは外枠の幕板に設けることが好適
である。音声制御部が設けられた中枠は外枠に対して開閉可能となっているため、比較的
長めのワイヤーハーネスを用いて音声制御部とスピーカとを接続し、さらに音声制御部側
とスピーカ側のワイヤーハーネス間にコネクタを介在させた遊技機が提案されている（特
許文献１参照）。このような構成により、中枠が外枠に対してワイヤーハーネスの長さを
超えて開放した場合には、コネクタが外れることでワイヤーハーネスの断線を避けること
ができる。
【先行技術文献】
【特許文献】
【０００３】
【特許文献１】特開２００３−１５４１３７号公報
【発明の開示】
【発明が解決しようとする課題】
【０００４】
ところが、特許文献１の構成では、中枠を閉じる際に中枠と外枠との間にワイヤーハー
ネスを挟み込む可能性があり、またコネクタを外した場合にはコネクタを再度接続する手
間が必要となる。このため、音声制御部とスピーカとの接続にドロワコネクタを用いるこ
とで、ワイヤーハーネスを排除するとともに、中枠の開閉に伴ってコネクタの分離と接続
を行うようにすることが考えられる。
【０００５】
ところで、遊技中に球詰まり等の不具合が発生した場合には、電源をオンにした状態で
中枠を開放して不具合を解消し、その後中枠を閉じて遊技を続行するといったことがなさ
れている。このため、ドロワコネクタを採用した構成において、スピーカから大音量の出
力がなされているタイミングで中枠を開放した場合には、過電流となって音声制御部側に
逆流し、音声制御部等の電子部品が損傷するおそれがある。
【０００６】
そこで、本発明は上記点に鑑み、ドロワコネクタでスピーカ側と音声制御部側とを接続
する遊技機において、コネクタの電気的分離によって過電圧が発生した場合に音声制御部
の損傷を防止することを目的とする。
【課題を解決するための手段】
【０００７】
上記目的を達成するため、本発明の遊技機では、
スピーカと、
前記スピーカに音声信号を出力する音声制御部と、
前記音声制御部に電気的に接続された第１コネクタと、前記スピーカに電気的に接続さ
れた第２コネクタとを含み、前記第１コネクタと前記第２コネクタとが電気的に分離及び
接続可能とされるドロワコネクタと、
前記音声制御部と前記第１コネクタとの間に設けられた保護回路と、を備え、
前記音声制御部が前記音声信号を出力中に、前記第１コネクタと前記第２コネクタが電気的に分離可能とされ、
前記保護回路は、遊技の進行に伴って前記音声制御部から出力される前記音声信号の周
波数帯において、前記音声信号の周波数が高くなるほどインピーダンスが低くなる構成と
され、かつ、前記スピーカのインピーダンスより前記保護回路のインピーダンスの方が高
くなっていることを特徴としている。
【０００８】
このように保護回路を設けることで、スピーカから大音量の音声出力がなされている状
態で第１コネクタと第２コネクタとの電気的接点が分離した場合であっても、第２コネク
タの接点で発生した逆起電圧による電流が音声制御部に流れることを防止でき、音声制御
部を保護することできる。保護回路は、本発明の遊技機で使用される音声信号の周波数帯
において、音声信号の周波数が高くなるほどインピーダンスが低くなっており、かつ、本
発明の遊技機で使用される音声信号の周波数帯において、スピーカのインピーダンスの方
が保護回路のインピーダンスより小さくなっているので、中枠側コネクタと外枠側コネク
タとが接続された通常時（コネクタ接続状態）には、設計通りの正常な音声信号が出力さ
れれば、すなわち音声信号に係る音声制御部からの電流は、主に保護回路ではなくスピー
カ側に流れることになる。これにより、保護回路を設けた構成においても、正常な音声信
号の通常時における音声出力ロスを軽減することができ、高品質な音声出力を維持できる
。
【０００９】
また、上記目的を達成するため、他の遊技機では、
島設備に固定される外枠と、
前記外枠に対して開閉可能に設けられた中枠と、
前記外枠に設けられたスピーカと、
前記中枠に設けられ、前記スピーカに音声信号を出力する音声制御部と、
前記中枠に設けられ前記音声制御部に電気的に接続された中枠側コネクタと前記外枠に
設けられ前記スピーカに電気的に接続された外枠側コネクタとを有し、前記中枠が前記外
枠に対して開閉することで前記中枠側コネクタと前記外枠側コネクタとが電気的に分離お
よび接続するドロワコネクタと、
前記音声制御部と前記中枠側コネクタとを接続する配線に設けられた保護回路と、を備
え、
前記保護回路は、遊技の進行に伴って前記音声制御部から出力される前記音声信号の周
波数帯において、前記音声信号の周波数が高くなるほどインピーダンスが低くなる構成と
され、かつ、前記スピーカのインピーダンスより前記保護回路のインピーダンスの方が高
くなっていることを特徴とすることができる。
【００１０】
このように保護回路を設けることで、スピーカから大音量の音声出力がなされている状
態で中枠が開放され中枠側コネクタと外枠側コネクタが分離した場合であっても、中枠側
コネクタの接点で発生した逆起電圧による電流が音声制御部に流れることを防止でき、音
声制御部を保護することできる。保護回路は、本発明の遊技機で使用される音声信号の周
波数帯において、音声信号の周波数が高くなるほどインピーダンスが低くなっており、か
つ、本発明の遊技機で使用される音声信号の周波数帯において、スピーカのインピーダン
スの方が保護回路のインピーダンスより小さくなっているので、中枠側コネクタと外枠側
コネクタとが接続された通常時（コネクタ接続状態）には、設計通りの正常な音声信号が
出力されれば、すなわち音声信号に係る音声制御部からの電流は、主に保護回路ではなく
スピーカ側に流れることになる。これにより、保護回路を設けた構成においても、正常な
音声信号の通常時における音声出力ロスを軽減することができ、高品質な音声出力を維持
できる。
また、コネクタ接続状態において、正常な音声信号の周波数帯を超える高周波ノイズ（
単に「ノイズ」ともいう）が発生した場合には、当該高周波ノイズに係る電流は、インピ
ーダンスの高い保護回路側に吸収される（流れる）割合が増加し、これにより、ノイズを
除去することができる。すなわち、正常な音声信号の出力ロスを極力軽減するとともに、
高周波ノイズが発生した場合には、当該ノイズを極力除去することができる。
【００１１】
また、周波数が高いほど、保護回路のインピーダンスが小さくなる構成とすることで、
逆起電圧等の過電圧（高周波数で発生し易い）が発生した場合に、保護回路のインピーダ
ンスが音声制御部のインピーダンスより高くなることを防ぐことができる。そして、中枠
を開放する際に（コネクタ開放状態）、中枠側コネクタの接点等で逆起電圧が発生した場
合には、当該逆起電圧により発生した電流を確実に保護回路側に流れるようにすることが
できる。
また、他の遊技機では、前記保護回路は、抵抗とコンデンサとを備えて構成され、
前記中枠側コネクタと前記外枠側コネクタとが電気的に接続した状態で前記スピーカに対
して並列接続されていることを特徴とすることができる。
【００１２】
このような構成の保護回路によれば、中枠側コネクタの接点で逆起電圧が発生した場合
であっても、逆起電圧を熱エネルギとして消費し、急激な電圧上昇を抑えることができる
。
【発明の効果】
【００１３】
本発明の構成によれば、ドロワコネクタでスピーカ側と音声制御部側とを接続する遊技
機において、コネクタの電気的分離によって過電圧が発生した場合に音声制御部の損傷を
防止することができる。
【図面の簡単な説明】
【００１４】
【図１】本発明を適用した実施例に係る遊技機の正面図である。
【図２】電子制御装置の概略装置を示すブロック図である。
【図３】アンプ回路とスピーカとの関係を示す回路図である。
【図４】コネクタの斜視図である。
【図５】中枠を外枠に対して開放した状態を示す斜視図である。
【図６】下部スピーカと保護回路の周波数とインピーダンスとの関係を示す説明図である。
【発明を実施するための形態】
【００１５】
以下、本発明をパチンコ機に適用した実施例について図面を用いて説明する。図１は、
本実施例の遊技機１（パチンコ機）の正面図である。図１に示すように、遊技機１の前面
部は、本体枠２、中枠３、前面枠４、上皿部５、下皿部６、施錠装置９、遊技盤２０等を
備えている。なお、遊技盤２０には、遊技球が通過可能なゲートや、遊技球が入球可能な
入球口（始動口、大入賞口、一般入賞口など）や、特定の入球口への遊技球の入球を契機
として図柄変動演出表示を行う図柄表示装置や、多数の障害釘などが配置されているが、
図１では、遊技盤２０の盤面構成の詳細について図示を省略している。また、中枠３は前
面枠４等が前面側に配置されているため、図１においては明示されていない。
【００１６】
本体枠２は木製の板状体を略長方形の枠状に組立てたものであり、遊技機１の外枠を構
成している。外枠２は、複数の遊技機１が並んで配置される島設備に固定される。中枠３
はプラスチック製であり、本体枠２の内側にはめ込まれて設置されており、外枠２に対し
て開閉可能に左端で軸支されている。中枠３は、上側２／３程度を占める枠体部と下側１
／３程度を占める下板部とから構成されている。枠体部の前面側には遊技盤２０と前面枠
４とが重なるように設けられており、下板部の前面側には上皿部５と下皿部６が設けられ
ている。遊技盤２０は、略長方形の木製の板状体であって中枠３に表面側に着脱可能に取
り付けられているとともに、裏機構盤（図示略）によりその背面側が覆われている。下板
部には、遊技球を遊技盤２０に発射する発射手段を構成する発射装置ユニット（図示略）
、遊技球を発射装置ユニットに供給する球送り装置（図示略）が設けられている。
【００１７】
前面枠４は、中枠３の前面側に配置され、中枠３の左端で開閉可能に支持されている。
前面枠４はプラスチック製であり、奥側に配置される遊技盤２０の盤面を視認可能にする
ために、円形状の開口部４ａが形成されている。前面枠４の裏面には、開口部４ａに対応
したガラス板等の透明板を備える略長方形状の透明板枠（図示略）が装着されている。前
面枠４における遊技盤２０の周囲には、ＬＥＤ等のランプ類（図示略）が設けられている
。これらのランプ類は、遊技効果を高めるためにゲーム進行に応じて点灯・消灯あるいは
点滅する。
【００１８】
上皿部５は、前面枠４の下側に設けられ、中枠３の左端に開閉可能に支持されている。
上皿部５は、皿外縁部５ａと、遊技機１の内部から遊技球を排出するための排出口５ｂと
、上皿部５の遊技球を下皿部６に排出する球抜きボタン５ｃとを備えている。皿外縁部５
ａの上面には、演出ボタン５ｄや貸球ボタン５ｅ等が設けられている。
【００１９】
下皿部６は、上皿部５の下方に設けられている。下皿部６の略中央には、遊技機１の内
部から下皿部６に遊技球を排出するための排出口６ａが設けられている。下皿部６の左端
には灰皿７が設けられている。下皿部６の右端には、遊技者が発射装置ユニット（図示略
）を操作するための発射ハンドル８が設けられている。発射ハンドル８には、遊技者が触
れていることを検出するタッチスイッチ８ａが設けられている。発射ハンドル８の左側面
には、遊技者が操作して遊技球の発射を一時的に停止する発射停止スイッチ８ｂが配置さ
れている。
【００２０】
施錠装置９は、中枠３の右端中央に設けられており、前面枠４を閉じた場合にこれを施
錠するためのものである。
【００２１】
また、遊技機１には、遊技状態に応じた効果音等を発生させるためのスピーカ１０ａ〜
１０ｄが設けられている。スピーカ１０ａ〜１０ｄは、遊技機１の上部に設けられた上部
スピーカ１０ａ、１０ｂと遊技機１の下部に設けられた下部スピーカ１０ｃ、１０ｄとか
らなる。上部スピーカ１０ａ、１０ｂは中枠３に固定された前面枠４に配置され、下部ス
ピーカ１０ｃ、１０ｄは外枠２の前面側に固定された幕板に設けられている。このため、
中枠３を外枠２に対して開放する場合には、上部スピーカ１０ａ、１０ｂは、中枠３とと
もに移動するのに対して、下部スピーカ１０ｃ、１０ｂは移動しない。さらに、遊技機１
の左側には、プリペイドカードユニット１３（ＣＲユニット）が装着されている。なお、
本発明の「外枠」は、外枠２本体およびこれに固定された幕板も含んで構成されている。
【００２２】
次に、本実施例の遊技機１の電子制御装置について、図２に基づいて説明する。図２は
、電子制御装置の概略構成を示すブロック図である。図２に示す電子制御装置は、中枠３
に設けられた裏機構盤（図示略）に配置されている。図示を省略するが、裏機構盤には遊
技球を貯留する賞球タンクや賞球タンクに貯留された遊技球を遊技球払出装置に供給する
ためのタンクレールが設けられている。なお、本発明の「中枠」は、中枠３本体のみなら
ず、中枠３を外枠２に対して開閉することで中枠３とともに移動する裏機構盤も含んで構
成されている。
【００２３】
図２に示すように、電子制御装置は、主制御部２００と、その主制御部２００に接続さ
れた副制御部２３０、２６０、２８０とを含んで構成されている。副制御部は、払出制御
部（賞球制御部）２３０、サブ制御部２６０及び演出表示制御部２８０から構成される。
主制御部２００は主制御基板２００ａを備え、副制御部２３０、２６０及び２８０は周辺
制御基板として払出制御基板２３０ａ、サブ制御基板２６０ａ及び演出表示制御基板２８
０ａをそれぞれ備えている。
【００２４】
主制御部２００は、遊技の進行を司る主制御手段を構成するものであり、各副制御部２
３０、２６０に処理内容を指示する指令信号（コマンドデータ）を送信し、各副制御部２
３０、２６０、２８０は指令信号に基づいて各種制御を行うように構成されている。
【００２５】
主制御部２００を構成する主制御基板２００ａのＣＰＵ２００ｂは、ＣＰＵコア、内蔵
ＲＡＭ（以下、単にＲＡＭともいう）、内蔵ＲＯＭ（以下、単にＲＯＭともいう）等を備
えており、ＲＯＭに格納された制御プログラムにより、ＲＡＭをワークエリアとして遊技
機１全体の作動制御（遊技の基本進行制御）を司る。なお、本実施例の主制御基板２００
ａのＣＰＵ２００ｂの制御周期は２ｍｓに設定されている。
【００２６】
払出制御部２３０を構成する払出制御基板２３０ａは、主制御基板２００ａのＣＰＵ２
００ｂと同様の構成を有するＣＰＵ２３０ｂを備えている。払出制御部２３０には、発射
制御部２５０、ＣＲユニット１３等が接続されている。
【００２７】
遊技盤２０に設けられた種々の入球口（始動口、大入賞口など）に遊技球が入球すると
、主制御部２００から払出制御部２３０に対して賞球払出を指示する賞球払出要求信号（
賞球払出コマンド）が出力され、これに応じて払出制御部２３０の制御下で賞球の払い出
しが行われる。また、遊技者によって貸球ボタン５ｅが操作されると、その操作に基づき
ＣＲユニット１３から払出制御部２３０に対して貸球払出を指示する貸球払出要求信号が
出力され、これに応じて払出制御部２３０の制御下で貸球の払い出しが行われる。
【００２８】
発射制御部２５０は、遊技盤上への遊技球の発射を制御する発射制御手段を構成してお
り、発射制御基板２５０ａは、発射モータ（図示略）、タッチスイッチ８ａ、発射停止ス
イッチ８ｂ等が接続されている。
【００２９】
サブ制御部２６０は、遊技の進行に伴って実行される各種演出を制御するサブ制御手段
を構成しており、サブ制御基板２６０ａにはＣＰＵ２６０ｂや図示しないＲＯＭ、ＲＡＭ
、音源ＩＣ（サウンドジェネレータ）、音源ＲＯＭ、入出力ポート等を有する演算回路構
成要素が設けられており、入出力ポートにおいて主制御部２００に接続されている。サブ
制御部２６０のＣＰＵ２６０ｂは、主制御部２００から送信される制御コマンドに基づい
て音源ＩＣを制御するように構成されており、音源ＩＣは音源ＲＯＭに記憶されている音
声データから特定の音声データを読み出して再生するように構成されている。音源ＩＣに
より再生される音声データ（音声信号）はスピーカ１０ａ〜１０ｄから出力される。サブ
制御部２６０は、スピーカ１０ａ〜１０ｄから出力される効果音の再生に加え、各種ラン
プ類による装飾表示、演出表示装置２５による図柄表示等を用いた演出制御を司るように
構成されている。
【００３０】
サブ制御部２６０には、演出表示制御部２８０が接続されている。演出表示制御基板２
８０ａには、ＣＰＵ２８０ｂ、ＲＡＭ、ＲＯＭ、入出力ポート、ＶＤＰ（ビデオディスプ
レイプロセッサ）等を有する演算回路構成要素（図示略）が設けられ、入出力ポートにお
いてサブ制御基板２６０ａに接続されている。演出表示制御部２８０には演出表示装置２
５が接続されている。演出表示制御部２８０は、ＣＰＵ２８０ｂがＲＯＭに格納された制
御プログラムに従ってＲＡＭをワークエリアとして演出表示装置２５の表示制御を行うよ
うに構成されている。
【００３１】
サブ制御基板２６０ａには、装飾駆動基板２６１を介して各種ＬＥＤ・ランプ２６２が
接続されている。各種ＬＥＤ・ランプ２６２は、遊技効果を高めるためのものであり、こ
れらのランプ類はゲームの進行に対応して点灯・消灯又は点滅し、遊技効果を高めている
。また、サブ制御部２６０には、後述のアンプ回路３００が設けられたアンプ基板２６３
が接続されている。アンプ基板２６３には、スピーカ１０ａ〜１０ｄが接続されており、
サブ制御部２６０からの音声信号を増幅してスピーカ１０ａ〜１０ｄに出力するように構
成されている。スピーカ１０ａ〜１０ｄからは、遊技の進行に対応して各種サウンド、音
声等が出力される。さらに、サブ制御部２６０には、演出ボタン基板２６４を介して演出
ボタン５ｄが接続されている。なお、サブ制御部２６０およびアンプ回路３００が本発明
の「音声制御部」に相当している。
【００３２】
図３は、アンプ基板２６３に設けられたアンプ回路３００とスピーカ１０ａ〜１０ｄと
の関係を示す回路図である。アンプ回路３００と上部スピーカ１０ａ、１０ｂは中枠３側
に設けられており、下部スピーカ１０ｃ、１０ｄは外枠２側に設けられている。アンプ回
路３００と上部スピーカ１０ａ、１０ｂは、配線によって接続されており、前面枠４や中
枠３を開放した場合にも、電気的に接続状態が保持される構成となっている。一方、アン
プ回路３００と下部スピーカ１０ｃ、１０ｄは、コネクタ３０１を介して配線によって接
続されており、中枠４を外枠２に対して開放した場合には、当該コネクタ３０１が分離す
ることによって、アンプ回路３００と下部スピーカ１０ｃ、１０ｄとの電気的接続が解除
される構成となっている。コネクタ３０１は、中枠側コネクタ３０１ａと外枠側コネクタ
３０１ｂから構成されている。アンプ回路３００側の配線は中枠側コネクタ３０１ａに接
続され、下部スピーカ１０ｃ、１０ｄ側の配線は外枠側コネクタ３０１ｂに接続されてい
る。
【００３３】
図４は、コネクタ３０１の斜視図であり、図５は、中枠３を外枠２に対して開放した状
態を示す遊技機１を背面側から見た斜視図である。本実施例では、コネクタ３０１として
ドロワコネクタを用いている。図４に示すように、本実施例では、中枠側コネクタ３０１
がオス側コネクタとして構成され、外枠側コネクタ３０１ｂがメス側コネクタとして構成
されている。
【００３４】
図５に示すように、中枠側コネクタ３０１ａ（オス側コネクタ）は中枠３側に設けられ
、外枠側コネクタ３０１ｂ（メス側コネクタ）は外枠２側に設けられている。そして、中
枠３を外枠２に対して開放することで、中枠側コネクタ３０１ａと外枠側コネクタ３０１
ｂが分離し（アンプ回路３００と下部スピーカ１０ｃ、１０ｄとの電気的接続が解除（切
断）される）、中枠３を外枠２に対して閉鎖することで、中枠側コネクタ３０１ａと外枠
側コネクタ３０１ｂが接続するようになっている（アンプ回路３００と下部スピーカ１０
ｃ、１０ｄとが電気的に接続される）。
【００３５】
遊技機１では、遊技中に球詰まり等の不具合が発生した場合には、電源をオンにした状
態で中枠３を開放してタンクレール等のメンテナンスを行い、不具合が解消された後、中
枠３を閉じて遊技を続行するといったことがなされている。本実施例のようにドロワコネ
クタ３０１を用いる場合には、中枠３を開放することで中枠側コネクタ３０１ａと外枠側
コネクタ３０１ｂが分離するため、電源オンの状態で中枠３が開放された場合には、中枠
側コネクタ３０１ａの接点で逆起電力（逆起電圧）が発生する場合がある。このため、下
部スピーカ１０ｃ、１０ｄから大音量の出力がなされている状態で中枠３が開放され中枠
側コネクタ３０１ａと外枠側コネクタ３０１ｂが分離した場合には、アンプ回路３００か
らの出力がスピーカ側への行き場を失い、過電流となってアンプ回路３００に逆流し、ア
ンプ回路３００やサブ制御部２６０等の電子部品が損傷するおそれがある。
【００３６】
このため、本実施例では、図３に示すように、アンプ回路３００と中枠側コネクタ３０
１ａとの間に保護回路３０２、３０３を設けている。保護回路３０２、３０３は、抵抗と
コンデンサとが直列接続されたＲＣ回路であり、各保護回路３０２、３０３は、各スピー
カ１０ｃ、１０ｄに並列接続されている。これにより、遊技機の動作中（特に音声出力中
）に、中枠３が開放され、中枠側コネクタ３０１ａと外枠側コネクタ３０１ｂが分離した
場合に、中枠側コネクタ３０１ａの接点で逆起電圧が発生した場合には、当該逆起電圧に
より発生した電流は、保護回路３０２、３０３に流れる。保護回路３０２、３０３では、
逆起電圧を熱エネルギとして消費し、急激な電圧上昇を抑えることができる。これにより
、下部スピーカ１０ｃ、１０ｄから大音量の出力がなされている状態で中枠３が開放され
中枠側コネクタ３０１ａと外枠側コネクタ３０１ｂが分離した場合であっても、中枠側コ
ネクタ３０１ａの接点で発生した逆起電圧による電流がアンプ回路３００に流れることを
防止でき、アンプ回路３００やサブ制御部２６０を保護することできる。
【００３７】
図６は、下部スピーカ１０ｃ、１０ｄと保護回路３０２、３０３の周波数とインピーダ
ンスとの関係を示している。図６に示すように、下部スピーカ１０ｃ、１０ｄは、音声信
号の周波数が高くなるほどインピーダンスが高くなる特性を有している。一方、保護回路
３０２、３０３は、音声信号の周波数が高いほどインピーダンスが低くなる特性を有して
いる。遊技の進行に伴ってアンプ回路３００から通常出力される音声信号の周波数帯（１
００Ｈｚ〜１００００Ｈｚ）では、下部スピーカ１０ｃ、１０ｄのインピーダンスの方が
保護回路３０２、３０３のインピーダンスより小さくなっている。このため、本実施例の
遊技機で使用される音声信号の周波数帯（１００Ｈｚ〜１００００Ｈｚ）では（この周波
数帯の外の帯域の音は通常人間には聞き取れない）、アンプ回路３００からの電流は、主
に、保護回路３０２、３０３ではなく下部スピーカ１０ｃ、１０ｄ側に流れることになる
。これにより、設計どおりの音声信号が出力される場合には、当該音声信号の音声出力ロ
スを極力軽減することができ、高品質な音声出力を維持できる。尚、このとき保護回路３
０２、３０３側にも音声信号に係る電流が流れるが、保護回路側のインピーダンスを下部
スピーカ側のインピーダンスよりも十分に高くすることで、保護回路側に流れる電流量を
極力少なくすることができる。
【００３８】
また、保護回路３０２、３０３のインピーダンスよりアンプ回路３００のインピーダン
スが低くなる場合には、中枠４開放時に中枠側コネクタ３０１ａの接点で発生した逆起電
圧による電流がアンプ回路３００に流れるおそれがある。これに対し、逆起電圧は、高周
波で発生し易いものであるところ、本実施例では、保護回路３０２、３０３は音声信号の
周波数が高いほどインピーダンスが低くなる特性を有しているので、逆起電圧発生時の保
護回路のインピーダンスを、アンプ回路のインピーダンスよりも十分に低くすることがで
きる。このため、中枠３が開放され中枠側コネクタ３０１ａと外枠側コネクタ３０１ｂが
分離した場合に、中枠側コネクタ３０１ａの接点で発生した逆起電圧による電流が保護回
路３０２、３０３に流れる。これにより、中枠側コネクタ３０１ａの接点で発生した逆起
電圧による電流がアンプ回路３００に流れることを防止でき、アンプ回路３００やサブ制
御部２６０を保護することできる。
【００３９】
また、保護回路３０２、３０３は音声信号の周波数が高いほどインピーダンスが低くな
り、高周波数帯（およそ４００００Ｈｚ以上）では下部スピーカ１０ｃ、１０ｄのインピ
ーダンスより低くなっている。このため、高周波数帯では、主に保護回路３０２、３０３
に電流が流れることになる。これにより、高周波音（ノイズ）が保護回路３０２、３０３
で吸収されることになり、保護回路３０２、３０３によって高周波ノイズを除去できると
いう効果が得られる。
【００４０】
（他の実施形態）
以上、本発明の実施例について説明したが、本発明はこれに限定されるものではなく、
各請求項に記載した範囲を逸脱しない限り、各請求項の記載文言に限定されず、当業者が
それらから容易に置き換えられる範囲にも及び、かつ、当業者が通常有する知識に基づく
改良を適宜付加することができる。
【００４１】
例えば、上記実施例では、保護回路３０２、３０３として抵抗とコンデンサからなるＲ
Ｃ回路を用いているが、この構成に限定されるものではなく、保護回路は音声信号の周波
数が高いほどインピーダンスが低くなる特性を有し、遊技機１で通常使用する音声の周波
数帯（１００Ｈｚ〜１００００Ｈｚ）で下部スピーカ１０ｃ、１０ｄのインピーダンスの
方が保護回路３０２、３０３のインピーダンスより小さくなっていればよい。また、本実
施例では、当該周波数帯（１００Ｈｚ〜１００００Ｈｚ）を超える周波数帯（１００００
Ｈｚ以上）では、保護回路３０２、３０３のインピーダンスがアンプ回路３００及びサブ
制御部２６０のインピーダンスよりも低くなっている。
【符号の説明】
【００４２】
１…遊技機、２…外枠、３…中枠、１０ａ、１０ｂ…上部スピーカ、１０ｃ、１０ｄ…
下部スピーカ、２６０…サブ制御部、３００…アンプ回路、３０１…コネクタ、３０２、
３０３…保護回路。
【図１】
0005655847.tif 000002
【図２】
0005655847.tif 000003
【図３】
0005655847.tif 000004
【図４】
0005655847.tif 000005
【図５】
0005655847.tif 000006
【図６】
0005655847.tif 000007